(57)【要約】【課題】  撮像により取得した画像を、ユーザの意図通りの画質で印刷可能に保存することが容易な撮像システム、撮像方法及び撮像プログラムを提供する。【解決手段】  撮像手段と、前記撮像手段から出力された第一画像に基づいて互いに異なる条件で画像処理が施された複数の第二画像を生成し、複数の前記第二画像の一括印刷を印刷装置に指示する一括処理手段と、複数の前記第二画像のいずれかを選択する選択操作を受け付ける操作受付手段と、選択された前記第二画像に応じて前記第一画像に画像処理を施した第三画像を生成する画像処理手段と、前記第三画像を外部記憶媒体に保存する保存手段と、を備えることを特徴とする撮像システム。【選択図】    図１
2005333185.tif 000002
【特許請求の範囲】
【請求項１】
撮像手段と、
前記撮像手段から出力された第一画像に基づいて互いに異なる条件で画像処理が施された複数の第二画像を生成し、複数の前記第二画像の一括印刷を印刷装置に指示する一括処理手段と、
複数の前記第二画像のいずれかを選択する選択操作を受け付ける操作受付手段と、
選択された前記第二画像に応じて前記第一画像に画像処理を施した第三画像を生成する画像処理手段と、
前記第三画像を外部記憶媒体に保存する保存手段と、
を備えることを特徴とする撮像システム。
【請求項２】
前記操作受付手段は、前記第三画像の印刷を前記印刷装置に指示するための印刷操作を受け付け、前記印刷操作を受け付ける前は前記保存手段を起動するための保存操作を受け付けず、前記印刷操作を受け付けた後は前記保存操作を受け付けることを特徴とする請求項１に記載の撮像システム。
【請求項３】
前記操作受付手段は、前記印刷操作を受け付ける前は前記一括処理手段を起動するための一括処理操作を受け付け、前記印刷操作を受け付けた後は前記一括処理操作を受け付けないことを特徴とする請求項２に記載の撮像システム。
【請求項４】
前記条件は、前記第一画像に応じて前記一括処理手段が生成する第一条件と、予め決められた互いに異なる複数の第二条件のいずれかとの組み合わせであることを特徴とする請求項１、２又は３に記載の撮像システム。
【請求項５】
前記操作受付手段は、印刷用紙サイズを選択するための用紙選択操作を受け付け、
前記画像処理手段は、選択された前記印刷用紙サイズに応じたサイズの前記第三画像を生成することを特徴とする請求項１から４のいずれか一項に記載の撮像システム。
【請求項６】
前記撮像手段は、選択された前記印刷用紙サイズに応じたサイズの前記第一画像を出力することを特徴とする請求項５に記載の撮像システム。
【請求項７】
撮像段階と、
前記撮像段階で出力された第一画像に基づいて互いに異なる条件で画像処理が施された複数の第二画像を生成し、複数の前記第二画像の一括印刷を印刷装置に指示する一括処理段階と、
複数の前記第二画像のいずれかを選択する選択操作を受け付ける操作受け付け段階と、
選択された前記第二画像に応じて前記第一画像に画像処理を施した第三画像を生成する画像処理段階と、
前記第三画像を外部記憶媒体に保存する保存段階と、
を含むことを特徴とする撮像方法。
【請求項８】
撮像手段を備える撮像システムを、
前記撮像手段から出力された第一画像に基づいて互いに異なる条件で画像処理が施された複数の第二画像を生成し、複数の前記第二画像の一括印刷を印刷装置に指示する一括処理手段と、
複数の前記第二画像のいずれかを選択する選択操作を受け付ける操作受付手段と、
選択された前記第二画像に応じて前記第一画像に画像処理を施した第三画像を生成する画像処理手段と、
前記第三画像を外部記憶媒体に保存する保存手段と、
して機能させることを特徴とする撮像プログラム。
【発明の詳細な説明】
【技術分野】
【０００１】
本発明は、撮像システム、撮像方法及び撮像プログラムに関する。
【背景技術】
【０００２】
従来、読み取った原稿の画像をＰＣ（Personal Computer）に出力するスキャナが知られている。ＰＣで実行される従来のレタッチプログラムは、スキャナからＰＣに入力された画像の明るさ、カラーバランス、コントラスト、彩度等を調整し、調整後の画像をハードディスクに保存したり、プリンタに出力したりすることができる。しかし、従来のスキャナでは、読み取った原稿の画像を画質調整したり印刷出力したりするためには、ＰＣと連動させる必要があった。またレタッチプログラムのユーザは、画像の画質調整結果を画面で確認した上で調整後の画像を印刷出力する。しかし、表示装置の表示画質とプリンタの印刷画質が異なるため、最適な印刷出力結果を得るまでにユーザは印刷と画質調整を繰り返さなければならない。また、表示装置の表示画質とプリンタの印刷画質を一致させるカラーマッチングシステムは、一般に高価で取り扱いが難しい。
【０００３】
特許文献１には、読み取った原稿の画像に複数の条件で画質調整を施し、互いに異なる条件で画質調整が施された複数の画像を一括印刷する複写機が記載されている。この複写機によると、ユーザは複数の画像の印刷結果を見た上で最適な画質調整の条件を容易に設定することができる。しかし、特許文献１に記載された複写機では、画質調整後の画像を保存しておく手段がないため、最適な画質で得られた原稿のハードコピーを正確に再現することは、もとの原稿がなければ不可能である。
【０００４】
【特許文献１】特開平１−１２６０７４号公報
【発明の開示】
【発明が解決しようとする課題】
【０００５】
本発明は、前述の問題を解決するために創作されたものであって、撮像により取得した画像を、ユーザの意図通りの画質で印刷可能に保存することが容易な撮像システム、撮像方法及び撮像プログラムを提供することを目的とする。
【課題を解決するための手段】
【０００６】
上記目的を達成するため、本発明に係る撮像システムは、撮像手段と、前記撮像手段から出力された第一画像に基づいて互いに異なる条件で画像処理が施された複数の第二画像を生成し、複数の前記第二画像の一括印刷を印刷装置に指示する一括処理手段と、複数の前記第二画像のいずれかを選択する選択操作を受け付ける操作受付手段と、選択された前記第二画像に応じて前記第一画像に画像処理を施した第三画像を生成する画像処理手段と、前記第三画像を外部記憶媒体に保存する保存手段と、を備える。
【０００７】
互いに異なる条件で画像処理が施された複数の第二画像が印刷装置で一括印刷されると、ユーザは最適条件で画像処理がされている第二画像がどれであるかを印刷結果に基づいて判断することができる。このため、複数の第二画像のいずれかをユーザに選択させ、いずれかの第二画像に施された画像処理の条件に応じた画像処理条件を間接的に選択させることにより、ユーザは意図通りの画質が得られる画像処理条件を容易に選択できるようになる。撮像手段から出力された第一画像に対し、ユーザによって間接的に選択された画像処理条件に応じた画像処理を施し、その結果生成される第三画像を外部記憶媒体に保存することにより、ユーザの意図通りの画質で印刷可能な第三画像が外部記憶媒体に保存される。
【０００８】
前記操作受付手段は、前記第三画像の印刷を前記印刷装置に指示するための印刷操作を受け付け、前記印刷操作を受け付ける前は前記保存手段を起動するための保存操作を受け付けず、前記印刷操作を受け付けた後は前記保存操作を受け付けることが望ましい。印刷された第三画像だけを外部記憶媒体に保存可能にすることにより、ユーザが印刷して画質を確認した通りの印刷結果を得ることができる画像だけが外部記憶媒体に保存されることになる。
前記操作受付手段は、前記印刷操作を受け付ける前は前記一括処理手段を起動するための一括処理操作を受け付け、前記印刷操作を受け付けた後は前記一括処理操作を受け付けないことが望ましい。これにより、画像処理を繰り返すことによる画質劣化を招く操作を禁止することができる。
【０００９】
前記条件は、前記第一画像に応じて前記一括処理手段が生成する第一条件と、予め決められた互いに異なる複数の第二条件のいずれかとの組み合わせであることが望ましい。画質を向上させるのに適した画像処理条件は、処理対象の画像の特性によって変わる。処理対象の画像の特性によってほぼ決まる第一条件を処理対象の画像に応じて撮像システム側で設定すれば、画像処理条件の選択肢を少なくすることができる。その結果、一括印刷される第二画像の数を少なくしても、ユーザの意図通りの画質が得られる画像処理条件をユーザに選択させることができる。
【００１０】
前記操作受付手段は、印刷用紙サイズを選択するための用紙選択操作を受け付け、前記画像処理手段は、選択された前記印刷用紙サイズに応じたサイズの前記第三画像を生成することが望ましい。ユーザに印刷用紙サイズを選択させ、選択された印刷用紙サイズに応じて第三画像のサイズを調整することにより、第三画像の印刷品質の劣化を抑制しつつ、外部記憶媒体への保存時間を短縮することができ、第三画像のデータサイズを小さくすることができる。
【００１１】
前記撮像手段は、選択された前記印刷用紙サイズに応じたサイズの前記第一画像を出力することが望ましい。ユーザに選択された印刷用紙サイズに応じて第一画像のサイズを調整することにより、第三画像の印刷品質の劣化を抑制しつつ、第一画像の処理時間を短縮することができ、第一画像の処理に必要なメモリ空間を低減することができる。
【００１２】
上記目的を達成するため、本発明に係る撮像方法は、撮像段階と、前記撮像段階で出力された第一画像に基づいて互いに異なる条件で画像処理が施された複数の第二画像を生成し、複数の前記第二画像の一括印刷を印刷装置に指示する一括処理段階と、複数の前記第二画像のいずれかを選択する選択操作を受け付ける操作受け付け段階と、選択された前記第二画像に応じて前記第一画像に画像処理を施した第三画像を生成する画像処理段階と、前記第三画像を外部記憶媒体に保存する保存段階と、を含む。
【００１３】
上記目的を達成するため、本発明に係る撮像プログラムは、撮像手段を備える撮像システムを、前記撮像手段から出力された第一画像に基づいて互いに異なる条件で画像処理が施された複数の第二画像を生成し、複数の前記第二画像の一括印刷を印刷装置に指示する一括処理手段と、複数の前記第二画像のいずれかを選択する選択操作を受け付ける操作受付手段と、選択された前記第二画像に応じて前記第一画像に画像処理を施した第三画像を生成する画像処理手段と、前記第三画像を外部記憶媒体に保存する保存手段と、して機能させる。
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
【発明を実施するための最良の形態】
【００１４】
以下、本発明を実施するための最良の形態を実施例に基づいて説明する。
図２は本発明の撮像装置の一実施例としてのスキャナ１の外観を示す斜視図である。図３はスキャナ１の内部構造を示す模式図である。図４はスキャナ１を示すブロック図である。スキャナ１は図示しないＰＣから独立して作動可能な原稿搬送型の画像読み取り装置である。スキャナ１は原稿を読み取って生成したスキャン画像を請求項に記載の外部記憶媒体としてのリムーバブルメモリ３に保存可能である。スキャナ１はスキャン画像を請求項に記載の印刷装置としてのプリンタ２に印刷させることができる。スキャナ１はＰＣの制御下でも作動し、スキャン画像をＰＣにも出力可能である。
【００１５】
原稿ホルダ１０２は、３５ｍｍストリップフィルム、３５ｍｍマウントフィルム、ブローニ、４×５インチ等の各種形式のフィルムや紙焼き写真等の原稿１０４を保持する。原稿ホルダ１０２は筐体１０６に形成されたスロット１０８から筐体１０６の内部に挿入される。筐体１０６の内部では、原稿ホルダ１０２は複数のローラ１１０によってＡＢ方向に往復移動自在に支持される。モータ１１２は図示しないギア等の動力伝達装置を介してローラ１１０を駆動し原稿ホルダ１０２を往復移動させる。
【００１６】
第一光源１１４、第二光源１１６、第三光源１１８は、それぞれ原稿１０４が反射原稿、ポジフィルム、ネガフィルムである場合に使用される白色冷陰極蛍光ランプ等の照明手段である。第一光源１１４と第二光源１１６と第三光源１１８は原稿ホルダ１０２によって所定位置に保持された原稿１０４を照明する。３つの光源を原稿種別によって使い分けることにより、原稿色の再現性を向上させることができる。
ミラー１２０及びレンズ１２２は、第一光源１１４に照明された原稿１０４の反射光と、第二光源１１６又は第三光源１１８に照明された原稿１０４の透過光とをイメージセンサ１２４の受光面に入射させる。
【００１７】
イメージセンサ１２４は、フォトダイオード等で構成される図示しないセルが直線的に多数配列された所謂リニアイメージセンサである。イメージセンサ１２４の各セルには受光量に応じた電荷が光電変換により蓄積される。イメージセンサ１２４は、レンズ縮小型でもよいし、密着型でもよいし、ＣＣＤイメージセンサでもよいし、ＣＭＯＳイメージセンサでもよい。
【００１８】
ＡＦＥ（Analog Front End）１２６は、ＣＤＳ（Correlated Double Sampling）処理、画像の黒レベルを再現するためのオプティカル・ブラック・クランプ制御、画像の電気信号のゲインの調整による電気信号のレベル調整処理、量子化処理等を行ってディジタル化されたスキャン画像を画像処理部１２８に出力する。
以上説明した第一光源１１４と第二光源１１６と第三光源１１８とミラー１２０とレンズ１２２とイメージセンサ１２４とＡＦＥ１２６とは、請求項に記載の撮像手段として機能する。
【００１９】
画像処理部１２８は、ガンマ補正、退色復元処理、明るさ調整、コントラスト調整、カラーバランス調整、拡大縮小、色空間変換、データ圧縮等の画像処理をスキャン画像に施すための信号処理を制御部１３０と協働して行うＤＳＰ（Digital Signal Processor）である。退色復元処理とは、経年劣化により色あせた紙焼き写真及びフィルムのスキャン画像を解析し、解析結果に基づいてスキャン画像の色調を鮮やかに自動補正する処理である。
【００２０】
制御部１３０は、図示しないＣＰＵとＲＯＭとＲＡＭと入出力インタフェイスとを備える。制御部１３０は、ＲＯＭに記憶されている制御プログラムをＲＡＭにロードしてＣＰＵで実行することによって、スキャナ１の全体を制御し、また画像処理部１２８と協働してガンマ補正、退色復元処理、明るさ調整、コントラスト調整、カラーバランス調整、拡大縮小、色空間変換、データ圧縮等の画像処理をスキャン画像に施す。ＲＯＭに記憶する制御プログラムは、請求項に記載の撮像プログラムに相当し、所定のサーバからネットワークを介してダウンロードしてもよいし、コンピュータ読み取り可能な記憶媒体から読み込んでもよい。制御部１３０は、インタフェイス１３２を介してプリンタ２、図示しないＰＣ等の外部機器と通信する。
以上説明した画像処理部１２８と制御部１３０とは請求項に記載の一括処理手段及び画像処理手段として機能する。
【００２１】
保存手段としてのメモリコントローラ１３４には、外部記憶媒体としてのリムーバブルメモリ３が脱着自在に接続される。リムーバブルメモリ３は筐体１０６に形成されたカードスロット１３４０から筐体１０６の内部に挿入される。メモリコントローラ１３４は、画像処理部１２８から出力されるスキャン画像等をリムーバブルメモリ３に格納する。
【００２２】
操作部１３６は、ユーザがスキャナ１を操作するための各種のキーを備えている。操作部１３６は、ほとんど全ての操作を十字キー１３６０とＯＫキー１３６２とキャンセルキー１３６４によるメニュー操作で受け付ける。フォトプリントモード選択キー１３６６が押下されると、スキャナ１はスキャン画像をプリンタ２に印刷させるフォトプリントモードで作動する。プロフェッショナルラボモード選択キー１３６８が押下されると、スキャナ１は、読み取り範囲を任意に設定してスキャン画像を生成したり、スキャン画像を画質調整したりしてからスキャン画像をプリンタ２に印刷させるプロフェッショナルラボモードで作動する。スキャン・メモリモード選択キー１３６９が押下されると、スキャナ１はスキャン画像をリムーバブルメモリ３に保存するスキャン・メモリモードで作動する。セットアップモード選択キー１３６７が押下されると、スキャナ１は表示部１３８の画面１３８０の明るさ調整やプリンタ２のメンテナンス等をするためのセットアップモードで作動する。
表示部１３８は、ユーザがスキャナ１を操作するためのメニューを表示するための画面１３８０を備えている。画面１３８０はＬＣＤ等で構成される。
以上説明した操作部１３６及び表示部１３８は請求項に記載の操作受付手段として機能する。
【００２３】
図５は、スキャナ１の制御プログラムの論理的な構成を示すブロック図である。
スキャン制御部１４０は、第一光源１１４と第二光源１１６と第三光源１１８とモータ１１２とイメージセンサ１２４とＡＦＥ１２６とを制御することにより、原稿ホルダ１０２に保持された原稿１０４のスキャン画像をＡＦＥ１２６から取得する。スキャン制御部１４０で取得するスキャン画像は請求項に記載の第一画像に相当する。スキャン制御部１４０で取得するスキャン画像を本実施例でも第一画像というものとする。また、本実施例でいうスキャン画像は、スキャン制御部１４０で取得する画像と、その画像に基づいて生成される画像とを含む。
【００２４】
第一画像処理部１４２は、ＡＦＥ１２６から出力されたスキャン画像にガンマ補正と退色復元処理を含む自動画質調整処理を施す。退色復元処理では制御部１３０のＲＡＭに格納した第一画像を解析し、第一画像に応じたパラメータで第一画像の彩度や色バランスを整える処理を行う。自動画質調整処理で第一画像に応じて設定されるパラメータが請求項に記載の第一条件に相当する。尚、退色復元処理は、ユーザの設定に応じて実施され、ユーザが退色復元処理をしない設定を選択している場合には、実施されない。
縮小部１４４は、第一画像処理部１４２によって処理された第一画像を縮小する処理を行う。具体的には例えば、Ａ４サイズの印刷用紙に所定の印刷解像度で４９個を配置できる大きさに、第一画像処理部１４２によって処理された第一画像を縮小する。
【００２５】
第二画像処理部１４６は、第一画像処理部１４２又は縮小部１４４から出力されるスキャン画像に、明るさ調整、コントラスト調整、カラーバランス調整、色空間変換、データ圧縮等の画像処理を施す。第二画像処理部１４６は、縮小部１４４で縮小されたスキャン画像に予め決められた複数のパラメータの組み合わせを逐一適用して画質調整し、互いに異なる画質のスキャン画像を複数生成する。縮小部１４４で縮小され第二画像処理部１４６で明るさ調整、コントラスト調整又はカラーバランス調整の画質調整処理が施された複数のスキャン画像は、請求項に記載の第二画像に相当する。以下、縮小部１４４で縮小され第二画像処理部１４６で画質調整処理が施された複数のスキャン画像のそれぞれを本実施例でも第二画像というものとする。縮小部１４４で縮小されていないスキャン画像の画質調整処理には、予め決められた複数の組み合わせのうち、ユーザによって選択されたパラメータの組み合わせが適用される。縮小部１４４で縮小されずにユーザによって選択されたパラメータで画質調整処理が施されたスキャン画像は請求項に記載の第三画像に相当する。以下、縮小部１４４で縮小されずにユーザによって選択されたパラメータで画質調整処理が施されたスキャン画像を本実施例でも第三画像というものとする。
【００２６】
ファイル管理部１４８は、第一画像処理部１４２又は第二画像処理部１４６から出力されるスキャン画像をリムーバブルメモリ３に所定のファイル名で保存する。
印刷制御部１５０は、第一画像処理部１４２又は第二画像処理部１４６から出力されるスキャン画像をプリンタ２に印刷させる。スキャン画像の印刷条件はＧＵＩ部１５２によって設定される。
ＧＵＩ部１５２は、メニュー及びステータスを表示部１３８の画面１３８０に表示させ、操作部１３６がユーザのキー操作に応じて出力する信号に応じて所定の処理を起動する。
以上、スキャナ１の構成を説明した。以下、スキャナ１の作動を説明する。
【００２７】
図１は、前述の制御プログラムによって作動するスキャナ１のプロフェッショナルラボモードでの作動を示すフローチャートである。
はじめにスキャナ１は、原稿種の設定を受け付ける（Ｓ１０）。具体的には、ＧＵＩ部１５２は、原稿１０４が反射原稿、ネガフィルム、ポジフィルムのいずれであるかを選択するメニューを表示部１３８に表示させ、操作部１３６を用いたユーザのメニュー操作を受け付ける。
【００２８】
次にスキャナ１は、原稿種の設定に応じて第一光源１１４、第二光源１１６、第三光源１１８のいずれかを点灯した後、モータ１１２を回転させて原稿ホルダ１０２を移動させながら原稿１０４の全体を低解像度で読み取る（Ｓ１２）。具体的には、スキャン制御部１４０が第一光源１１４、第二光源１１６、第三光源１１８のいずれかとモータ１１２とイメージセンサ１２４とＡＦＥ１２６とを制御することにより、原稿ホルダ１０２に保持された原稿１０４のプレスキャン画像を取得し、第一画像処理部１４２がプレスキャン画像にガンマ補正を施す。第一画像処理部１４２は、３５ｍｍストリップフィルムが原稿ホルダ１０２に保持されている場合、フィルムの各コマに対応する複数のプレスキャン画像を取得する。
【００２９】
次にスキャナ１は、印刷対象とする画像の選択を受け付ける（Ｓ１４）。具体的には、ＧＵＩ部１５２は図６に示す画面を表示部１３８に表示させ、３５ｍｍストリップフィルムのどのコマを高解像度で読み取るかをユーザに選択させる。図６に示す画面では、複数のプレスキャン画像Ｉが表示され、十字キー１３６０及びＯＫキー１３６２を操作することにより、いずれかのプレスキャン画像Ｉを選択可能である。複数のコマがない原稿種（例えば４×５インチ版、反射原稿）が設定されている場合、Ｓ１４の処理は実行不要である。
【００３０】
次にスキャナ１は、印刷設定操作を受け付ける（Ｓ１６）。具体的には、ＧＵＩ部１５２は図７に示す画面を表示部１３８に表示させ、用紙種類、出力サイズ、トリミング枠の調整モード、印刷品質、フチ処理（フチあり、フチなし）の各項目の設定操作を受け付ける。出力サイズの項目では、Ａ４、Ａ３、Ｌ版等の印刷用紙サイズを選択可能である。印刷品質では、それぞれ所定の印刷解像度に対応する高精細、普通、高速等の項目を選択可能である。
【００３１】
次にスキャナ１は、印刷設定に応じた解像度で原稿１０４を読み取り、スキャン画像を取得する（Ｓ１８）。具体的には、スキャン制御部１４０は印刷用紙サイズと印刷品質に応じて解像度を設定し、ユーザが選択したプレスキャン画像Ｉに対応するコマを、設定した解像度で読み取り、プレスキャン画像よりも高い解像度のスキャン画像を取得する。より具体的には、印刷用紙サイズが大きい程、高い解像度で原稿１０４を読み取り、大きなサイズのスキャン画像を取得する。第一画像処理部１４２はスキャン画像にガンマ補正を施す。
【００３２】
次にスキャナ１は、スキャン画像に対して退色復元処理を施す（Ｓ２０）。具体的には、第一画像処理部１４２はスキャン画像を解析し、スキャン画像に応じたパラメータを用いてスキャン画像を鮮やかに補正する。
次にスキャナ１は、スキャン画像が印刷済みか未印刷かを判定する（Ｓ２２）。具体的には、ＧＵＩ部１５２は印刷済みと未印刷とを判定するためのフラグの状態を判定し、未印刷であればＳ２４の処理に進み、印刷済みであればＳ３６の処理に進む。
【００３３】
Ｓ２２で未印刷と判定した場合、スキャナ１はスキャン画像の印刷、スキャン画像の画質調整、プロフェッショナルラボモードの終了の３つ処理のいずれかを選択するためのメニューを表示する（Ｓ２４）。このメニューでは、スキャン画像の保存を選択不能にする。具体的には、ＧＵＩ部１５２は図８に示す画面を表示部１３８に表示させる。ＧＵＩ部１５２は、スキャン画像の保存に対応する項目である「この画像を保存する」をグレーアウト表示して選択不能にするとともに、他のステータスでは選択可能であるが現在のステータスでは選択不能であることをユーザに案内する。
【００３４】
次にスキャナ１は、印刷、画質調整、終了のうち、いずれの処理が選択されたかを判定し、選択された処理を起動する（Ｓ２６）。具体的には、図８に示す画面が表示部１３８に表示されている状態で十字キー１３６０の押下によって選択され、ＯＫキー１３６２の押下によって確定される項目に対応する処理を起動する。より具体的には、「この画像を印刷する」が選択されるとＳ３０の印刷処理に進み、「画質を調整する」が選択されるとＳ２８の画質調整条件の設定処理に進み、「プロフェッショナルラボを終了する」が選択されると終了処理に進む。「この画像を印刷する」を選択する操作は、請求項に記載の印刷操作に相当する。「画質を調整する」を選択する操作は、請求項に記載の一括処理操作に相当する。
【００３５】
Ｓ２２で印刷済みと判定した場合、スキャナ１はスキャン画像の印刷、スキャン画像の保存、プロフェッショナルラボモードの終了、他の画像の選択のいずれかの処理を選択するためのメニューを表示する（Ｓ３６）。このメニューでは、スキャン画像の画質調整を選択不能にする。具体的には、ＧＵＩ部１５２は図９に示す画面を表示部１３８に表示させる。ＧＵＩ部１５２は、スキャン画像の保存に対応する項目である「画質を調整する」をグレーアウト表示して選択不能にするとともに、他のステータスでは選択可能であるが現在のステータスでは選択不能であることをユーザに案内する。
【００３６】
次にスキャナ１は、印刷、保存、終了、他の画像の選択のうち、いずれの処理が選択されたかを判定し、選択された処理を起動する（Ｓ３８）。具体的には、図９に示す画面が表示部１３８に表示されている状態で十字キー１３６０の押下によって選択され、ＯＫキー１３６２の押下によって確定される項目に対応する処理を起動する。より具体的には、「この画像を印刷する」が選択されるとＳ３０、Ｓ３２の印刷処理に進み、「他の画像を編集する」が選択されるとＳ１４のプレスキャン画像の選択受付処理に進み、「この画像を保存する」が選択されるとＳ４０、Ｓ４２の保存処理に進む。「プロフェッショナルラボを終了する」が選択されると終了処理に進む。「この画像を保存する」を選択する操作は、請求項に記載の保存操作に相当する。
【００３７】
Ｓ２８の画質調整条件の設定処理、Ｓ３０、Ｓ３２の印刷処理、または、Ｓ４０、Ｓ４２の保存処理が終了すると、スキャナ１はＳ２２の処理に戻って前述の処理を繰り返す。すなわち、ＧＵＩ部１５２は、印刷が終了していないスキャン画像をリムーバブルメモリ３に保存できないようにメニューの遷移を制御し、印刷が終了したスキャン画像の画質調整ができないようにメニューの遷移を制御する。この結果、印刷が終了しているスキャン画像だけがリムーバブルメモリ３に保存されることとなる。また、スキャン画像の画質調整が繰り返されることによるスキャン画像の画質劣化が防止される。以下、画質調整条件の設定処理、印刷処理、保存処理のそれぞれについて詳細に説明する。
【００３８】
図１０及び図１１は、画質調整条件の設定処理の流れを示すフローチャートである。
はじめに、スキャナ１は画質調整のインデックス画像を印刷済みか未印刷かを判定する（Ｓ１００）。画質調整のインデックス画像（以下、単にインデックス画像という。）とは、第一画像の縮小画像に互いに異なる複数のパラメータを逐一設定して生成した複数の第二画像を方陣に配置して合成した画像である。具体的には、インデックス画像を印刷済みか未印刷かを示すフラグをＧＵＩ部１５２がチェックし、未印刷であればインデックス画像を印刷するためにＳ１０２以後の処理に進み、印刷済みであれば、画質調整の条件を設定するためにＳ１１６以後の処理に進む。
【００３９】
インデックス画像が未印刷の場合、スキャナ１は明るさ・コントラスト調整又はカラーバランス調整を選択するためのメニューを表示する（Ｓ１０２）。具体的には、ＧＵＩ部１５２は明るさ・コントラスト調整と、カラーバランス調整に対応する項目を十字キー１３６０とＯＫキー１３６２で選択可能なメニューを表示部１３８に表示させる。ＧＵＩ部１５２は、明るさ・コントラスト調整又はカラーバランス調整を選択するためのメニューを表示した状態でキャンセルキー１３６４が押下されるとＳ２２の処理に進む（Ｓ１０３）。
【００４０】
次にスキャナ１は明るさ・コントラスト調整、カラーバランス調整のうち、いずれの処理が選択されたかを判定する（Ｓ１０４）。具体的には、ＧＵＩ部１５２は、明るさ・コントラスト調整に対応する項目が選択されるとＳ１０６に進み、カラーバランス調整に対応する項目が選択されるとＳ１１０に進む。
Ｓ１０６及びＳ１１０では、スキャナ１は第一画像を縮小する。具体的には、縮小部１４４が第一画像を縮小した画像を生成する。このとき縮小部１４４は第一画像そのものを編集せずに、第一画像とは別に縮小画像を生成する。以下、このとき生成される縮小画像を縮小第一画像という。尚、Ｓ１０６及びＳ１１０の処理は、第一画像の縮小処理が既に行われている場合は、実施する必要がない。すなわち、Ｓ１０６又はＳ１１０の処理を１度行った後は、Ｓ１０６及びＳ１１０の処理をスキップすることができる。
【００４１】
Ｓ１０８では、調整条件を変えて繰り返し縮小第一画像の明るさ及びコントラストを調整し、調整毎に調整済みの画像を生成し、それぞれの調整済み画像を別々に記憶する。具体的には、第二画像処理部１４６は図１２（Ａ）に示す第一調整条件テーブルに行毎に格納された明るさ（Ｂｒ）及びコントラスト（Ｃｔ）のパラメータの組み合わせを適用して縮小第一画像の明るさ及びコントラストを調整した画質調整済み縮小画像を生成する。画質調整済み縮小画像のそれぞれには、適用された明るさ及びコントラストのパラメータに対応する画像ＩＤが付与される。より具体的には例えば、第二画像処理部１４６は、Ｂｒ＝−３、Ｃｔ＝＋３のパラメータを適用して明るさ及びコントラストを調整した画質調整済み縮小画像には画像ＩＤとして「１０１」を付与してＲＡＭに格納する。明るさの調整のためのパラメータであるＢｒとコントラストの調整のためのパラメータであるＣｔとの組み合わせは、請求項に記載の第二条件に相当する。
【００４２】
Ｓ１１２では、調整条件を変えて繰り返し縮小第一画像のカラーバランスを調整し、調整毎に第二画像（画質調整済み縮小画像）を生成し、それぞれの調整済み画像を別々に記憶する。具体的には、第二画像処理部１４６は図１２（Ｂ）に示す第二調整条件テーブルに行毎に格納されたＲ、Ｇ、Ｂのパラメータの組み合わせを適用して縮小第一画像のカラーバランスを調整した第二画像を生成する。第二画像のそれぞれには、適用されたＲ、Ｇ、Ｂのパラメータに対応する画像ＩＤが付与される。より具体的には例えば、第二画像処理部１４６は、Ｒ＝＋３、Ｇ＝０、Ｂ＝０のパラメータを適用してカラーバランスを調整した第二画像には画像ＩＤとして「２０１」を付与してＲＡＭに格納する。カラーバランスの調整のためのパラメータであるＲ、Ｇ及びＢの組み合わせは請求項に記載の第二条件に相当する。
【００４３】
次にスキャナ１は、複数の第二画像を１ページに配置したインデックス画像をプリンタ２に印刷させる（Ｓ１１４）。具体的には、印刷制御部１５０はＳ１０４で明るさ・コントラスト調整が選択されているとき、明るさ・コントラスト調整が施された複数の第二画像を図１３に示すテンプレートに基づいて１ページに配置し、１ページのインデックス画像を生成する。印刷制御部１５０はＳ１０４でカラーバランス調整が選択されているとき、カラーバランス調整が施された複数の第二画像を図１４に示すテンプレートに基づいて１ページに配置し、インデックス画像を生成する。図１３及び図１４では、第二画像が差し込まれる領域は小枠ｆで示され、小枠内に付した数字はその枠に差し込まれる第二画像の画像ＩＤを示し、大枠Ｆはページの外縁を示している。さらに印刷制御部１５０はインデックス画像をハーフトーン処理等して印刷データを生成し、生成した印刷データを印刷指示とともにプリンタ２に出力し、プリンタ２にインデックス画像を印刷させる。すなわち、印刷制御部１５０は複数の第二画像の一括印刷をプリンタ２に指示する。
【００４４】
インデックス画像が印刷済みの場合、スキャナ１は、明るさ・コントラスト調整、明るさ・コントラスト調整条件のリセット、カラーバランス調整、カラーバランス調整条件のリセットのいずれかの処理を選択するためのメニューを表示する（Ｓ１１６）。具体的には、ＧＵＩ部１５２は図１５に示すメニューを表示部１３８の画面１３８０に表示させる。
【００４５】
次にスキャナ１は、明るさ・コントラスト調整、明るさ・コントラスト調整条件のリセット、カラーバランス調整、カラーバランス調整条件のリセットのいずれの処理が選択されたかを判定する（Ｓ１１８）。具体的には、ＧＵＩ部１５２は図１５に示すメニューが表示された状態で十字キー１３６０の操作によって特定の項目が選択されＯＫキー１３６２が押下されると、選択された項目に対応する処理を起動する。より具体的には例えば、「明るさ・コントラストを調整する」が選択されると、第一画像の明るさ又はコントラストを調整するためにＳ１２０に進み、「カラーバランスを調整する」が選択されると第一画像のカラーバランスを調整するためにＳ１２６に進む。
【００４６】
Ｓ１１８で明るさ・コントラスト調整が選択されると、スキャナ１は明るさ又はコントラストの調整条件を設定するためのメニューを表示する（Ｓ１２０）。具体的には、ＧＵＩ部１５２は図１６に示すメニューを表示部１３８の画面１３８０に表示させる。各セルＣの位置は、図１３に示すテンプレートに差し込まれた各第二画像のインデックス画像上の位置に対応している。各セルＣは、十字キー１３６０の操作によって選択可能である。各セルＣには、画像ＩＤを介して、対応する第二画像の画質調整に適用されたパラメータが関連付けられている。すなわち、ＧＵＩ部１５２は、印刷された第二画像のいずれかを図１６に示したメニューの操作によって選択させ、間接的に、第二画像の画質調整に適用されたパラメータをユーザに選択させる。セルＣを選択する操作は請求項に記載の選択操作に相当する。
【００４７】
次に、スキャナ１はユーザの操作に応じて明るさ・コントラストの調整条件を設定する（Ｓ１２２）。具体的には、ＧＵＩ部１５２は、十字キー１３６０の操作によって図１６に示すセルＣの１つが選択されてＯＫキー１３６２が押下されると、選択されたセルＣに関連付けられているパラメータを第二画像処理部１４６に設定する。より具体的には例えば、図１６に示す黒塗りのセルＣＢが選択されると、Ｂｒ＝＋２、Ｃｔ＝＋１のパラメータが第二画像処理部１４６に設定される（図１２（Ａ）及び図１３参照）。
【００４８】
Ｓ１１８で明るさ・コントラスト調整条件のリセットが選択されると、スキャナ１は設定されている明るさ・コントラスト調整のパラメータをリセットし、リセットした値でインデックス印刷を行う（Ｓ１２４）。具体的には、ＧＵＩ部１５２は、第二画像処理部１４６に設定されている明るさ・コントラスト調整のパラメータをＢｒ＝Ｃｔ＝＋０に設定する。全てのパラメータに＋０が設定されている場合、第二画像処理部１４６は第一画像に対して画質調整処理を施さない。
【００４９】
Ｓ１１８でカラーバランス調整が選択されると、スキャナ１はカラーバランスを調整するための調整条件を設定するためのメニューを表示する（Ｓ１２６）。具体的には、ＧＵＩ部１５２は図１７に示すメニューを表示部１３８の画面１３８０に表示させる。各セルＣの位置は、図１４に示すテンプレートに差し込まれた各第二画像のインデックス画像上の位置に対応している。各セルＣは、十字キー１３６０の操作によって選択可能である。各セルＣには、画像ＩＤを介して、対応する第二画像の画質調整に適用されたパラメータが関連付けられている。すなわち、ＧＵＩ部１５２は、印刷された第二画像のいずれかを図１７に示したメニューの操作によって選択させ、間接的に、第二画像の画質調整に適用されたパラメータをユーザに選択させる。セルＣを選択する操作は請求項に記載の選択操作に相当する。
【００５０】
次に、スキャナ１はユーザの操作に応じてカラーバランスの調整条件を設定する（Ｓ１２８）。具体的には、ＧＵＩ部１５２は、十字キー１３６０の操作によって図１７に示すセルＣの１つが選択されてＯＫキー１３６２が押下されると、選択されたセルＣに関連付けられているパラメータを第二画像処理部１４６に設定する。より具体的には例えば、図１７に示す黒塗りのセルＣＢが選択されると、Ｒ＝＋２、Ｇ＝＋０、Ｂ＝＋２のパラメータが第二画像処理部１４６に設定される（図１２（Ｂ）及び図１４参照）。
【００５１】
Ｓ１１８でカラーバランス調整条件のリセットが選択されると、スキャナ１は設定されているカラーバランス調整のパラメータをリセットし、リセット後の値でインデックス印刷を行う（Ｓ１３０）。具体的には、ＧＵＩ部１５２は、第二画像処理部１４６に設定されているカラーバランス調整のパラメータをＲ＝Ｇ＝Ｂ＝＋０に設定する。前述したとおり、全てのパラメータに＋０が設定されている場合、第二画像処理部１４６は第一画像に対して画質調整処理を施さない。
【００５２】
図１に示すＳ２６又はＳ３８で印刷処理又は保存処理が起動された場合、スキャナ１は前述の画質調整条件の設定処理で設定された調整条件で第一画像の画質を調整する（Ｓ３０、Ｓ４０）。具体的には、第二画像処理部１４６はＧＵＩ部１５２によって設定されたＢｒ、Ｃｔ、Ｒ、Ｇ、Ｂのパラメータを適用して第一画像に画質調整処理を施し、第三画像を生成する。
【００５３】
図１に示すＳ２６又はＳ３８で印刷が起動された場合、Ｓ３０の次に、スキャナ１は第三画像をプリンタ２に印刷させる。具体的には、印刷制御部１５０は、第三画像をハーフトーン処理して印刷データを生成し、生成した印刷データを印刷指示とともにプリンタ２に出力し、プリンタ２に第三画像を印刷させる。すなわち、印刷制御部１５０は第三画像の印刷をプリンタ２に指示する。
【００５４】
図１に示すＳ２６又はＳ３８で保存が起動された場合、Ｓ４０の次に、スキャナ１は第三画像をリムーバブルメモリ３に保存する。具体的には、第二画像処理部１４６は第三画像をＪＰＥＧ等の所定のファイル形式に変換する。ファイル管理部１４８は、所定のファイル形式に変換された第三画像を、所定のファイル名を付与してリムーバブルメモリ３に保存する。尚、ファイル管理部１４８は、リムーバブルメモリ３以外の外部記憶媒体に第三画像を保存してもよいし、第三画像の保存先をユーザに選択させてもよい。第三画像の保存先としては、例えばインタフェイス１３２に接続される外付けのハードディスク装置、ＣＤＲ装置、ＣＤＲＷ装置等でもよい。また、これらの外部記憶装置にネットワークを通じて第三画像を出力してもよい。
【００５５】
以上説明した本発明の実施例によると、第二画像処理部１４６で互いに異なるパラメータが適用されて画質調整された複数の第二画像で構成されるインデックス画像がプリンタ２で印刷されると、ユーザは最適なパラメータで画質調整が施されている第二画像がどれであるかを印刷結果に基づいて判断することができる。このため、ユーザは表示部１３８の画面１３８０に表示されるメニューで特定の第二画像を選択することにより、選択された第二画像に対応するパラメータが設定されるため、意図通りの画質が得られるパラメータを容易に設定できる。このようにして設定されたパラメータを適用して第一画像の画質を調整し、その結果得られる第三画像をリムーバブルメモリ３に保存することにより、ユーザの意図通りの画質で印刷可能な第三画像を将来利用可能に保存することができる。
また、ＧＵＩ部１５２は、プリンタ２に印刷させていない第三画像をリムーバブルメモリ３に保存できないようにメニューを遷移させるため、ユーザが印刷して画質を確認したとおりの印刷結果を将来得ることができる画像だけがリムーバブルメモリ３に保存される。
【００５６】
また、ＧＵＩ部１５２は、第一画像に対する画質調整処理を第二画像処理部１４６が重畳的に実施しないようにメニューを遷移させるため、ユーザが認識していないうちに画質調整操作により画質が劣化することが防止される。
また、第一画像処理部１４２は、第一画像に応じて退色復元処理の最適パラメータを自動設定するため、最適なパラメータを選択させるために複数生成する第二画像の数を減らすことができる。
【００５７】
また、スキャン制御部１４０は、印刷用紙サイズに応じて読み取り解像度を調整し、印刷用紙サイズに応じたサイズの第一画像を生成するため、画質を劣化させることなく、スキャン画像に対する画像処理に要する時間を短縮することができ、画像処理に要するＲＡＭの容量を低減することができる。また、第一画像のサイズに応じて第三画像のサイズが決まるため、第一画像のサイズを最適化することにより、画質を劣化させることなく、第三画像を保存するために必要なリムーバブルメモリ３の容量を低減することができる。
【００５８】
尚、前述した実施例では、本発明をスキャナに適用した実施例を説明したが、本発明はプリンタを直接制御可能なディジタルカメラ、カメラ付携帯電話等の他の撮像システムにも適用できる。また、第一画像に施す画像処理として退色復元処理と明るさ・コントラスト調整とカラーバランス調整とを例示したが、エッジ強調処理、リサイズ処理等の他の画像処理を第一画像に施してもよい。また、インデックス画像を１ページに印刷する実施例を説明したが、複数ページに及ぶインデックス画像を一括印刷してもよい。また、十字キー１３６０の操作によって第二画像を選択する実施例を説明したが、第二画像の識別子をインデックス画像に配置し、第二画像の識別子のキー入力を受け付けることによって、第二画像の選択操作を受け付けてもよい。また、印刷用紙サイズに応じて読み取り時の解像度を設定する実施例を説明したが、印刷用紙サイズに関わらず一定の解像度で原稿１０４を読み取り、スキャン画像を印刷用紙サイズに応じてリサイズしてリムーバブルメモリ３に保存してもよい。
【図面の簡単な説明】
【００５９】
【図１】本発明の一実施例によるスキャナの作動を示すフローチャート。
【図２】本発明の一実施例によるスキャナの外観を示す斜視図。
【図３】本発明の一実施例によるスキャナの内部構造を示す模式図。
【図４】本発明の一実施例によるスキャナを示すブロック図。
【図５】本発明の一実施例による制御プログラムの論理的な構成を示すブロック図。
【図６】本発明の一実施例に係る画面を示す図。
【図７】本発明の一実施例に係る画面を示す図。
【図８】本発明の一実施例に係る画面を示す図。
【図９】本発明の一実施例に係る画面を示す図。
【図１０】本発明の一実施例に係る画質調整条件の設定処理の流れを示すフローチャート。
【図１１】本発明の一実施例に係る画質調整条件の設定処理の流れを示すフローチャート。
【図１２】（Ａ）は本発明の一実施例に係る第一調整条件テーブルを説明するための図、（Ｂ）は本発明の一実施例に係る第二調整条件テーブルを説明するための図。
【図１３】本発明の一実施例に係るテンプレートを説明するための図。
【図１４】本発明の一実施例に係るテンプレートを説明するための図。
【図１５】本発明の一実施例に係る画面を示す図。
【図１６】本発明の一実施例に係る画面を示す図。
【図１７】本発明の一実施例に係る画面を示す図。
【符号の説明】
【００６０】
１  スキャナ（撮像システム）、２  プリンタ（印刷装置）、３  リムーバブルメモリ（外部記憶媒体）、１０２  原稿ホルダ、１０４  原稿、１０６  筐体、１０８  スロット、１１０  ローラ、１１２  モータ、１１４  第一光源（撮像手段）、１１６  第二光源（撮像手段）、１１８  第三光源（撮像手段）、１２０  ミラー（撮像手段）、１２２  レンズ（撮像手段）、１２４  イメージセンサ（撮像手段）、１２６  ＡＦＥ（撮像手段）、１２８  画像処理部（一括処理手段）、１３０  制御部（一括処理手段）、１３４  メモリコントローラ（保存手段）、１３６  操作部（操作受付手段）、１３８  表示部（操作受付手段）、１４０  スキャン制御部
【図１】
2005333185.tif 000003
【図２】
2005333185.tif 000004
【図３】
2005333185.tif 000005
【図４】
2005333185.tif 000006
【図５】
2005333185.tif 000007
【図６】
2005333185.tif 000008
【図７】
2005333185.tif 000009
【図８】
2005333185.tif 000010
【図９】
2005333185.tif 000011
【図１０】
2005333185.tif 000012
【図１１】
2005333185.tif 000013
【図１２】
2005333185.tif 000014
【図１３】
2005333185.tif 000015
【図１４】
2005333185.tif 000016
【図１５】
2005333185.tif 000017
【図１６】
2005333185.tif 000018
【図１７】
2005333185.tif 000019